(57)【要約】【課題】ヘッドカバーはクラブのヘッドを保護すると同時にそのヘッド上の記号を隠してしまうので、クラブを取る時、使用者は何度もヘッドカバーを外して確認しないと、必要なクラブを探し出すことができない。したがって、使用者にとても不便であると感じさせる。【解決手段】ヘッドに記号を有するゴルフクラブのヘッドカバーであって、前記のヘッドカバーの全部又は一部分が透明又は半透明のシリカゲルから形成されていることを特徴とするゴルフクラブのヘッドカバー。【選択図】図１
0003130027.tif 000002
【実用新案登録請求の範囲】
【請求項１】
ヘッドに記号を有するゴルフクラブのヘッドカバーであって、前記のヘッドカバーの全部又は一部分が透明又は半透明のシリカゲルから形成されていることを特徴とするゴルフクラブのヘッドカバー。
【請求項２】
ヘッドに記号がある場所と対応する場所に透明又は半透明の材料から形成された部分を有することを特徴とする請求項１に記載のゴルフのクラブのヘッドカバー。
【請求項３】
前記透明又は半透明の材料から形成された部分は、縫製されるか、粘着されるか、又は溶接されることにより、ヘッドカバー本体と連接していることを特徴とする請求項２に記載のゴルフクラブのヘッドカバー。
【請求項４】
前記透明又は半透明の材料から形成された部分は、円形、楕円形、四角形、長方形、多角形、又はその他の不規則な形であることを特徴とする請求項２に記載のゴルフクラブのヘッドカバー。
【請求項５】
前記の透明又は半透明の材料はシリカゲルであることを特徴とする請求項１から４のいずれかに記載のゴルフクラブのヘッドカバー。
【請求項６】
前記ヘッドカバーはウッド用ヘッドカバー、アイアン用ヘッドカバー、及びパター用ヘッドカバーの少なくともいずれかであることを特徴とする請求項１から４のいずれかに記載のゴルフクラブのヘッドカバー。
【考案の詳細な説明】
【技術分野】
【０００１】
本考案はゴルフクラブの関連製品、特にゴルフクラブのヘッドを保護するヘッドカバーに関する。
【背景技術】
【０００２】
ゴルフのコンペに利用されるクラブはウッド、アイアン、パター三つ種類がある。ウッドは主にヒッティングに使われる。アイアンはドライビングの方向を確保できる。パターはグリーンでホールに向けて、ゴルフボールを打つための専門クラブである。ワンセットのクラブには、４本のウッド、９本のアイアンと１本のパターからなり、合わせて１４本のクラブからなる。通常、ゴルフクラブには１本ごとにヘッドに記号がある。そのため、使用者はその記号によってすぐに必要なクラブを取ることができる。
【０００３】
その一方、ゴルフクラブを適切に保護することは非常に重要である。上記のようにすることがその性能を最適化させる唯一の手段であり、使用寿命もより長くすることができる。現在、通常の保護方式では、クラブを使わない時にヘッドをヘッドカバーで包むようにしており、クラブバッグ中でのクラブ同士が互いに擦れあったりぶつかったりしてヘッドやクラブが壊れたり傷ができたりすることを防止することができ、その結果すばらしい性能及び美しい外観を確保できる。
【考案の開示】
【考案が解決しようとする課題】
【０００４】
クラブの種類によって、アイアン用のヘッドカバー、ウッド用のヘッドカバー、パター用のヘッドカバーが使われている。しかし、ヘッドカバーはクラブのヘッドを保護すると同時にそのヘッド上の記号を隠してしまうので、クラブを取る時、使用者は何度もヘッドカバーを外して確認しないと、必要なクラブを探し出すことができない。したがって、使用者にとても不便であると感じさせる。
【課題を解決するための手段】
【０００５】
上記課題に対して、本考案は以下の手段を提供する。すなわち、本考案に係るヘッドカバーは、ヘッドに記号を有するゴルフクラブのヘッドカバーであって、前記ヘッドカバーの全部又は一部分が透明又は半透明のシリカゲルから形成されている。このヘッドカバーにより、適切にゴルフクラブのヘッドを保護する同時に、記号によって使用者がすぐに必要なクラブを判別することができるので、利便性をもたらす。
【０００６】
また、より好ましくは、本考案に係るヘッドカバーは、ヘッドに記号がある場所と対応する場所に透明又は半透明の材料から形成された部分を有する。
前記透明又は半透明の材料から形成された部分は、縫製されるか、粘着されるか、又は溶接されることにより、ヘッドカバー本体と連接していることが好ましい。
前記透明又は半透明の材料から形成された部分は、円形、楕円形、四角形、長方形、多角形、又はその他の不規則な形であってもよい。
【０００７】
また、本考案に係るヘッドカバーは、前記透明又は半透明の材料がシリカゲルであることが好ましい。
さらに、本考案に係るヘッドカバーは、ウッド用ヘッドカバー、アイアン用ヘッドカバー、及びパター用ヘッドカバーの少なくともいずれかとすることができる。
【考案の効果】
【０００８】
ヘッドカバー全部或いは部分に透明又は半透明の材料から製造するため、ゴルフのクラブのヘッドを効果的に保護されるだけではなくて、その上使用者はその上の記号によって簡単にヘッドのタイプを判断られて、すぐに選び取れる。したがって、使用者はクラブをいち早く取る、置くこともできて、従来の間違って別のヘッドカバーを取ること、間違って別のクラブを取ることを避けられる。全部或いは部分は透明又は半透明のシリカゲルから製造し、材質の上に更に弾力性があって、また更に美しくて、更に丈夫だ。
【考案を実施するための最良の形態】
【０００９】
図１に示すゴルフクラブのヘッドカバー１は、ゴルフヘッド２を風雨にさらされたり、傷がついたりすることから保護するものである。ゴルフヘッド２上には記号３が示されており、違う種類のクラブを区別することができる。ヘッドカバー１は、記号３のすぐ上に対応する位置に透明又は半透明のシリカゲルからなる窓部（スペーサ）４を有している。この窓部４は、円形、楕円形、四角形、長方形、多角形又はその他の不規則な形にすることができる。
【００１０】
ヘッドカバー全部又は一部分を透明又は半透明の材料から形成しているため、ゴルフクラブのヘッドを効果的に保護することができるだけでなく、使用者はその上の記号によって簡単にヘッドのタイプを判断して、すぐに選び取ることができる。したがって、使用者はクラブをいち早く取ったり、置いたりすることもできて、従来のように間違って別のヘッドカバーを取ったり、間違って別のクラブを取ることを避けられる。全部又は一部分を透明又は半透明のシリカゲルから製造すると、材質上は弾力性があって、また見た目も美しく、更に丈夫である。
【００１１】
以上の記載は本考案の最適の実施形態である。実際には、この分野の通常の技術常識を有する者であれば、本考案の主旨を前提として、若干の変形或いは改良を加えることができる。これらの変形或いは改良したものも本考案の保護対象である。たとえば、シリカゲル以外の他の透明又は半透明の材料から形成されたヘッドカバーも同様に、使用者が記号によってすぐに判断でき必要なクラブを取るという目的を実現できる。
【図面の簡単な説明】
【００１２】
【図１】本考案に係るゴルフクラブのヘッドカバーの概略構成図である。
【符号の説明】
【００１３】
１    ゴルフのクラブのヘッドカバー
２    ゴルフのクラブのヘッド
３    記号
４    窓部（スペーサ）
【図１】
0003130027.tif 000003